(57)【要約】【課題】  部品点数が少なくて能率良く組立作業を行うこと。【解決手段】  金属板製シャーシ３の前部にターンテーブル４付きスピンドルモータ５が設けられると共に、該シャーシ３の中央孔３ａ内に光ピックアップ６が配置され、該光ピックアップ６を移動可能に支持する左右一対のガイドシャフト７Ａ，７Ｂの端部がシャーシ３上の４つの支持部材１４〜１７に係合され、各ガイドシャフト７Ａ，７Ｂの端部とシャーシ３との間に捩じりコイルばね１８を係合させ、その各捩じりコイルばね１８に抗してシャーシ３のねじ孔に螺合させた高さ調整ねじ１０の先端を各ガイドシャフト７Ａ，７Ｂの端部に押し付けており、前記４つの支持部材１４〜１７が、シャーシ３をプレス成形する際に切り残した部分を引き起こして適宜折り曲げることにより、該シャーシ３に一体形成されている。【選択図】        図１  
2005332531.tif 000002
【特許請求の範囲】
【請求項１】
金属板製シャーシの前部にターンテーブル付きスピンドルモータが設けられると共に、該シャーシの中央孔内に光ピックアップが配置され、該光ピックアップを移動可能に支持する左右一対のガイドシャフトの端部に対向して４つの支持部材がシャーシにアウトサート成形され、その各支持部材に各ガイドシャフトの両端部を係合させると共に、各ガイドシャフトの端部とシャーシとの間に捩じりコイルばねを係合させ、その各捩じりコイルばねに抗してシャーシのねじ孔に螺合させた高さ調整ねじの先端を各ガイドシャフトの端部に押し付けることにより、各ガイドシャフトを介して光ピックアップがラジアル方向及びタンジェント方向に傾角調整されており、スピンドルモータによりターンテーブルを介してディスクを回転させ、シャーシ上の送りモータにより駆動機構を介して光ピックアップを両ガイドシャフトに沿って移動させ、該光ピックアップからディスクにレーザ光を投射して該ディスクに記録されている情報を読み取るようにしたディスク装置において、アウトサート成形した４つの支持部材に代えて、シャーシをプレス成形する際に切り残した部分を引き起こして適宜折り曲げることにより４つの支持部材が該シャーシに一体形成され、その各支持部材が、各ガイドシャフトの端部を係合させるためのガイドシャフト係合部と、各捩じりコイルばねを係合させるためのばね係合部とを有し、その各ばね係合部が、シャーシから起立する縦桁部と、該縦桁部の先端から側方に延びる横桁部とを有し、該各横桁部の下縁に凹溝が形成されると共に、その各横桁部の上縁から端縁にかけての角部をカットすることにより傾斜状ガイド縁が形成され、前記捩じりコイルばねが、コイル部と、該コイル部の両端から所定の対向角度をおいて互いに逆向き略ハの字状に延びる一対のばね脚部と、該各ばね脚部の先端からコイル部の軸心とはほぼ直交する方向に沿って互いに逆向きに略Ｖ字状に折り曲げられてほぼ平行する一対の当たり部と、その一方の当たり部の先端からコイル部の軸心とはほぼ直交する方向に沿って略Ｖ字状に外向きに折り曲げられた略Ｖ字状抜け止め部と、その他方の当たり部の先端からコイル部の軸心とほぼ平行する方向に沿って略Ｌ字状に折り曲げられた略Ｌ字状抜け止め部とを有しており、前記コイル部を各ガイドシャフトの端部に外嵌させ、一方の当たり部をシャーシの係合部に係合させて該係合部の端縁にほぼ４５°の対向角度で当接させると共に、他方の当たり部を各横桁部の上縁から傾斜ガイド縁に沿って下縁まで移行させて凹溝内に嵌入させ該凹溝の端縁にほぼ４５°の対向角度で当接させていることを特徴とするディスク装置。    
【請求項２】
金属板製シャーシの前部にターンテーブル付きスピンドルモータが設けられると共に、該シャーシの中央孔内に光ピックアップが配置され、該光ピックアップを移動可能に支持する左右一対のガイドシャフトの端部がシャーシ上の４つの支持部材に係合され、各ガイドシャフトの端部に係合させた捩じりコイルばねに抗してシャーシのねじ孔に螺合させた高さ調整ねじの先端を各ガイドシャフトの端部に押し付けることにより、その各ガイドシャフトを介して光ピックアップがラジアル方向及びタンジェント方向に傾角調整されており、スピンドルモータによりターンテーブルを介してディスクを回転させ、シャーシ上の送りモータにより駆動機構を介して光ピックアップを両ガイドシャフトに沿って移動させ、該光ピックアップからディスクにレーザ光を投射して該ディスクに記録されている情報を読み取るようにしたディスク装置において、前記４つの支持部材が、シャーシをプレス成形する際に切り残した部分を引き起こして適宜折り曲げることにより、該シャーシに一体形成されていることを特徴とするディスク装置。    
【請求項３】
前記捩じりコイルばねが、コイル部と、該コイル部の両端から所定の対向角度をおいて互いに逆向き略ハの字状に延びる一対のばね脚部と、該各ばね脚部の先端からコイル部の軸心とはほぼ直交する方向に沿って互いに逆向きに略Ｖ字状に折り曲げられてほぼ平行する一対の当たり部とを有し、前記コイル部を各ガイドシャフトの端部に外嵌させ、一方の当たり部をシャーシの係合部に係合させて該係合部の端縁にほぼ４５°の対向角度で当接させると共に、他方の当たり部を各支持部材の凹溝に嵌入させて該凹溝の端縁にほぼ４５°の対向角度で当接させていることを特徴とする請求項２に記載のディスク装置。    
【請求項４】
前記一方の当たり部の先端からコイル部の軸心とはほぼ直交する方向に沿って略Ｖ字状に外向きに折り曲げられた略Ｖ字状抜け止め部と、その他方の当たり部の先端からコイル部の軸心とほぼ平行する方向に沿って略Ｌ字状に折り曲げられた略Ｌ字状抜け止め部とを有することを特徴とする請求項３に記載のディスク装置。    
【請求項５】
前記各支持部材が、各ガイドシャフトの端部を係合させるためのガイドシャフト係合部と、各捩じりコイルばねを係合させるためのばね係合部とを有し、その各ばね係合部が、シャーシから起立する縦桁部と、該縦桁部の先端から側方に延びる横桁部とを有し、該各横桁部の上縁から端縁にかけての角部をカットすることにより傾斜状ガイド縁が形成されており、各捩じりコイルばねの他方の当たり部を各横桁部の上縁から傾斜ガイド縁に沿って下縁まで移行させて凹溝に嵌入させることを特徴とする請求項３または４にに記載のディスク装置。
【発明の詳細な説明】
【技術分野】
【０００１】
本発明は、例えばＤＶＤなどのディスクの再生や記録または消去を行うためのディスク装置に関する。
【背景技術】
【０００２】
従来、ディスク装置の技術として特許文献１に記載したものがある。これは、図１０〜図１３に示すように、筐体１に弾性体２を介して金属製シャーシ３が上下動可能に支持され、該シャーシ３の前部にターンテーブル４付きスピンドルモータ５が設けられると共に、該シャーシ３の中央孔３ａ内に光ピックアップ６が配置され、該光ピックアップ６を移動可能に支持する左右一対のガイドシャフト７Ａ，７Ｂの端部に対向して４つの合成樹脂製支持部材８Ａ〜８Ｄがシャーシ３にアウトサート成形され、その各支持部材８Ａ〜８Ｄに各ガイドシャフト７Ａ，７Ｂの両端部を係合させると共に、各ガイドシャフト７Ａ，７Ｂの端部とシャーシ３との間に捩じりコイルばね９を係合させ、その各捩じりコイルばね９に抗してシャーシ３のねじ孔３ｂに螺合させた高さ調整ねじ１０の先端を各ガイドシャフト７Ａ，７Ｂの端部に押し付けることにより、各ガイドシャフト７Ａ，７Ｂを介して光ピックアップ６がシャーシ３に矢印ａ，ｂ方向に移動可能に取り付けられ、光ピックアップ６にナット部１１ａ、ねじ軸１１ｂ及び歯車１１ｃからなる駆動機構１１を介して連動連結した送りモータ１２がシャーシ３の側部に設けられている。
【０００３】
操作手順を説明すると、シャーシ３を上動させて水平にすることにより、トレイ（図示せず）上のディスクＤをターンテーブル４上に載置し、スピンドルモータ５によりターンテーブル４を介してディスクＤを高速回転させ、送りモータ１２により駆動機構１１を介して光ピックアップ６を両ガイドシャフト７Ａ，７Ｂに沿って矢印ａ，ｂ方向に移動させ、該光ピックアップ６からディスクＤにレーザ光を投射して該ディスクＤに記録されている情報を読み取る。
【０００４】
工場から出荷する前の最終調整で、各高さ調整ねじ１０を回転操作して各ガイドシャフト７Ａ，７Ｂの端部の高さｔを調整することにより、光ピックアップ６をガイドシャフト７Ａ，７Ｂの長手方向に沿うラジアル方向Ｒ（図１１及び図１２参照）と、ガイドシャフト７Ａ，７Ｂの横断方向に沿うタンジェント方向Ｔ（図１３参照）とにそれぞれ傾角調整し、光ピックアップ６からディスクＤに対してレーザ光の当たる角度が直角になるように設定する。    
【特許文献１】特開２００１−７６３５２号公報
【発明の開示】
【発明が解決しようとする課題】
【０００５】
上記従来の構成では、各支持部材８Ａ〜８Ｄがシャーシ３にアウトサート成形されているため、その各支持部材８Ａ〜８Ｄの数だけ部品点数が増加して、製作費が高くつく。また、各捩じりコイルばね９を各ガイドシャフト７Ａ，７Ｂの端部とシャーシ３との間に係合させるのに手間と時間とがかかって組立作業の能率が低い。
【０００６】
本発明は、上記従来の欠点に鑑み、部品点数が少なくて能率良く組立作業を行うことができるようにしたディスク装置を提供することを目的としている。
【課題を解決するための手段】
【０００７】
上記目的を達成するため、請求項１に記載の発明は、金属板製シャーシの前部にターンテーブル付きスピンドルモータが設けられると共に、該シャーシの中央孔内に光ピックアップが配置され、該光ピックアップを移動可能に支持する左右一対のガイドシャフトの端部に対向して４つの支持部材がシャーシにアウトサート成形され、その各支持部材に各ガイドシャフトの両端部を係合させると共に、各ガイドシャフトの端部とシャーシとの間に捩じりコイルばねを係合させ、その各捩じりコイルばねに抗してシャーシのねじ孔に螺合させた高さ調整ねじの先端を各ガイドシャフトの端部に押し付けることにより、各ガイドシャフトを介して光ピックアップがラジアル方向及びタンジェント方向に傾角調整されており、スピンドルモータによりターンテーブルを介してディスクを回転させ、シャーシ上の送りモータにより駆動機構を介して光ピックアップを両ガイドシャフトに沿って移動させ、該光ピックアップからディスクにレーザ光を投射して該ディスクに記録されている情報を読み取るようにしたディスク装置において、アウトサート成形した４つの支持部材に代えて、シャーシをプレス成形する際に切り残した部分を引き起こして適宜折り曲げることにより４つの支持部材が該シャーシに一体形成され、その各支持部材が、各ガイドシャフトの端部を係合させるためのガイドシャフト係合部と、各捩じりコイルばねを係合させるためのばね係合部とを有し、その各ばね係合部が、シャーシから起立する縦桁部と、該縦桁部の先端から側方に延びる横桁部とを有し、該各横桁部の下縁に凹溝が形成されると共に、その各横桁部の上縁から端縁にかけての角部をカットすることにより傾斜状ガイド縁が形成され、前記捩じりコイルばねが、コイル部と、該コイル部の両端から所定の対向角度をおいて互いに逆向き略ハの字状に延びる一対のばね脚部と、該各ばね脚部の先端からコイル部の軸心とはほぼ直交する方向に沿って互いに逆向きに略Ｖ字状に折り曲げられてほぼ平行する一対の当たり部と、その一方の当たり部の先端からコイル部の軸心とはほぼ直交する方向に沿って略Ｖ字状に外向きに折り曲げられた略Ｖ字状抜け止め部と、その他方の当たり部の先端からコイル部の軸心とほぼ平行する方向に沿って略Ｌ字状に折り曲げられた略Ｌ字状抜け止め部とを有しており、前記コイル部を各ガイドシャフトの端部に外嵌させ、一方の当たり部をシャーシの係合部に係合させて該係合部の端縁にほぼ４５°の対向角度で当接させると共に、他方の当たり部を各横桁部の上縁から傾斜ガイド縁に沿って下縁まで移行させて凹溝内に嵌入させ該凹溝の端縁にほぼ４５°の対向角度で当接させていることを特徴としている。
【０００８】
請求項２に記載の発明は、金属板製シャーシの前部にターンテーブル付きスピンドルモータが設けられると共に、該シャーシの中央孔内に光ピックアップが配置され、該光ピックアップを移動可能に支持する左右一対のガイドシャフトの端部がシャーシ上の４つの支持部材に係合され、各ガイドシャフトの端部に係合させた捩じりコイルばねに抗してシャーシのねじ孔に螺合させた高さ調整ねじの先端を各ガイドシャフトの端部に押し付けることにより、その各ガイドシャフトを介して光ピックアップがラジアル方向及びタンジェント方向に傾角調整されており、スピンドルモータによりターンテーブルを介してディスクを回転させ、シャーシ上の送りモータにより駆動機構を介して光ピックアップを両ガイドシャフトに沿って移動させ、該光ピックアップからディスクにレーザ光を投射して該ディスクに記録されている情報を読み取るようにしたディスク装置において、前記４つの支持部材が、シャーシをプレス成形する際に切り残した部分を引き起こして適宜折り曲げることにより、該シャーシに一体形成されていることを特徴としている。
【０００９】
請求項３に記載の発明は、請求項２に記載の発明において、前記捩じりコイルばねが、コイル部と、該コイル部の両端から所定の対向角度をおいて互いに逆向き略ハの字状に延びる一対のばね脚部と、該各ばね脚部の先端からコイル部の軸心とはほぼ直交する方向に沿って互いに逆向きに略Ｖ字状に折り曲げられてほぼ平行する一対の当たり部とを有し、前記コイル部を各ガイドシャフトの端部に外嵌させ、一方の当たり部をシャーシの係合部に係合させて該係合部の端縁にほぼ４５°の対向角度で当接させると共に、他方の当たり部を各支持部材の凹溝に嵌入させて該凹溝の端縁にほぼ４５°の対向角度で当接させていることを特徴としている。
【００１０】
請求項４記載の発明は、請求項３記載の発明において、前記一方の当たり部の先端からコイル部の軸心とはほぼ直交する方向に沿って略Ｖ字状に外向きに折り曲げられた略Ｖ字状抜け止め部と、その他方の当たり部の先端からコイル部の軸心とほぼ平行する方向に沿って略Ｌ字状に折り曲げられた略Ｌ字状抜け止め部とを有することを特徴としている。
【００１１】
請求項５に記載の発明は、請求項３または４に記載の発明において、前記各支持部材が、各ガイドシャフトの端部を係合させるためのガイドシャフト係合部と、各捩じりコイルばねを係合させるためのばね係合部とを有し、その各ばね係合部が、シャーシから起立する縦桁部と、該縦桁部の先端から側方に延びる横桁部とを有し、該各横桁部の上縁から端縁にかけての角部をカットすることにより傾斜状ガイド縁が形成されており、各捩じりコイルばねの他方の当たり部を各横桁部の上縁から傾斜ガイド縁に沿って下縁まで移行させて凹溝に嵌入させることを特徴としている。
【発明の効果】
【００１２】
請求項１に記載の発明は実施の一形態（図１〜図９参照）に対応するものであって、これによれば、各ガイドシャフトの両端部を支持するための４つの支持部材がシャーシに一体形成されているから、該各支持部材を従来のようにアウトサート成形する場合に比べて、その支持部材の数だけ部品点数が少なくなり、製作費を安くすることができる。
【００１３】
また、各捩じりコイルばねのコイル部を各ガイドシャフトの端部に外嵌させ、該コイル部から延びる一対の当たり部をシャーシの係合部及び各支持部材の凹溝の端縁にほぼ４５°の対向角度でそれぞれ当接させており、各ガイドシャフトに過大な負荷がかかって該各ガイドシャフトが高さ調整ねじ上から位置ずれしそうになっても、その過大な負荷に対抗する充分に大きい反力が各当たり部に発生するから、その各反力により各ガイドシャフトが高さ調整ねじ上から不測に位置ずれないように押さえ付けることができる。
【００１４】
更に、各当たり部の先端から延びる略Ｖ字状抜け止め部と略Ｌ字状抜け止め部とにより該各当たり部が係合部や凹溝から不測に抜けないようにすることができると共に、両抜け止め部の折り曲げ方向が異なっているから、その折り曲げ方向を目視するだけで捩じりコイルばねの向きを簡単に確認することができ、例えば略Ｌ字状抜け止め部をつかんでコイル部を各ガイドシャフトの端部に正常に嵌合させ、その逆に、略Ｖ字状抜け止め部をつかんでコイル部を各ガイドシャフトの端部に逆向きに間違えて嵌合させるミスを無くし、捩じりコイルばねの取付作業を能率良く行うことができる。
【００１５】
しかも、各ばね係合部の横桁部の上縁から端縁にかけての角部をカットすることにより傾斜状ガイド縁が形成されているから、各捩じりコイルばねの他方の当たり部を横桁部の上縁から傾斜ガイド縁に沿って下縁まで円滑に移行させて凹溝に簡単に嵌入させることができる。
【００１６】
請求項２に記載の発明は基本形態を示すものであって、これによれば、各ガイドシャフトの両端部を支持するための４つの支持部材がシャーシに一体形成されているから、該各支持部材を従来のようにアウトサート成形する場合に比べて、その支持部材の数だけ部品点数が少なくなり、製作費を安くすることができる。
【００１７】
請求項３に記載の発明によれば、各捩じりコイルばねのコイル部を各ガイドシャフトの端部に外嵌させ、該コイル部から延びる一対の当たり部をシャーシの係合部及び各支持部材の凹溝の端縁にほぼ４５°の対向角度でそれぞれ当接させており、各ガイドシャフトに過大な負荷がかかって該各ガイドシャフトが高さ調整ねじ上から位置ずれしそうになっても、その過大な負荷に対抗する充分に大きい反力が各当たり部に発生するから、その各反力により各ガイドシャフトが高さ調整ねじ上から不測に位置ずれないように押さえ付けることができる。
【００１８】
請求項４に記載の発明によれば、各当たり部の先端から延びる略Ｖ字状抜け止め部と略Ｌ字状抜け止め部とにより該各当たり部が係合部や凹溝から不測に抜けないようにすることができると共に、両抜け止め部の折り曲げ方向が異なっているから、その折り曲げ方向を目視するだけで捩じりコイルばねの向きを簡単に確認することができ、例えば略Ｌ字状抜け止め部をつかんでコイル部を各ガイドシャフトの端部に正常に嵌合させ、その逆に、略Ｖ字状抜け止め部をつかんでコイル部を各ガイドシャフトの端部に逆向きに間違えて嵌合させるミスを無くし、捩じりコイルばねの取付作業を能率良く行うことができる。
【００１９】
請求項５に記載の発明によれば、各ばね係合部の横桁部の上縁から端縁にかけての角部をカットすることにより傾斜状ガイド縁が形成されているから、各捩じりコイルばねの他方の当たり部を横桁部の上縁から傾斜ガイド縁に沿って下縁まで円滑に移行させて凹溝に簡単に嵌入させることができる。
【発明を実施するための最良の形態】
【００２０】
図１〜図５は本発明の実施の一形態であるディスク装置を示すものであって、第１から第４の支持部材１４〜１７がシャーシ３に一体形成され、各ガイドシャフト７Ａ，７Ｂの端部に４つの捩じりコイルばね１８が係合されると共に、該各ガイドシャフト７Ａ，７Ｂの両端部下面に４つの高さ調整ねじ１０の先端が押し付けられ、光ピックアップ６にラック１９ａ、ピニオン１９ｂ及び歯車１９ｃからなる駆動機構１９を介して送りモータ１２が連動連結されている。上記以外の構成は図１０〜図１３に示す構成とほぼ同じであるから、同一部分に同一符号を付してその説明を省略する。
【００２１】
前記シャーシ３は、図６の展開図に示すように、金属板をプレス成形して所定形状に形成されており、その周縁部を折り曲げることにより補強枠３ｃが形成され、シャーシ３をプレス成形する際に切り残した部分を引き起こして適宜折り曲げることにより第１から第４の支持部材１４〜１７が該シャーシ３に一体形成されている。
【００２２】
前記第１支持部材１４は、図２、図５及び図６に示すように、シャーシ３から起立する縦桁部１４ａと、該縦桁部１４ａの先端から両側方に延びる一対の横桁部１４ｂ，１４ｃとを有し、その縦桁部１４ａと一方の横桁部１４ｂとにより一方のガイドシャフト７Ａの一端部を係合させるためのガイドシャフト係合部１４Ａが形成され、その縦桁部１４ａと他方の横桁部１４ｃとにより捩じりコイルばね１８を係合させるためのばね係合部１４Ｂが形成され、他方の横桁部１４ｃの下縁に凹溝２１が形成されている。
【００２３】
前記第２支持部材１５は、図２、図４〜図６に示すように、シャーシ３から起立する縦桁部１５ａと、該縦桁部１５ａの先端から両側方に延びる一対の横桁部１５ｂ，１５ｃとを有し、その縦桁部１５ａと一方の横桁部１５ｂとにより一方のガイドシャフト７Ａの他端部を係合させるためのガイドシャフト係合部１５Ａが形成され、その縦桁部１５ａと他方の横桁部１５ｃとにより捩じりコイルばね１８を係合させるためのばね係合部１５Ｂが形成され、他方の横桁部１５ｃの下縁に凹溝２１が形成されている。
【００２４】
前記第３支持部材１６は、図３、図５及び図６に示すように、シャーシ３から起立する縦桁部１６ａと、該縦桁部１６ａの先端から側方に延びる横桁部１６ｂとを有し、その縦桁部１６ａに貫設した矩形係合孔２２により他方のガイドシャフト７Ｂの一端部を係合させるためのガイドシャフト係合部１６Ａが形成され、縦桁部１６ａと横桁部１６ｂとにより捩じりコイルばね１８を係合させるためのばね係合部１６Ｂが形成され、横桁部１６ｂの下縁に凹溝２１が形成されている。
【００２５】
前記第４支持部材１７は、図３〜図６に示すように、シャーシ３から起立する一対の縦桁部１７ａ，１７ｂを有し、その一方の縦桁部１７ａの上縁に凹設した凹部２３により他方のガイドシャフト７Ｂの他端部を係合させるためのガイドシャフト係合部１７Ａが形成され、その他方の縦桁部１７ｂと該縦桁部１７ｂの先端から側方に延びる横桁部１７ｃとにより捩じりコイルばね１８を係合させるためのばね係合部１７Ｂが形成され、横桁部１７ｃの下縁に凹溝２１が形成されている。なお、２４はシャーシ３から切り起こしたガイドシャフト抜け止め片、２５はシャーシ３に形成した捩じりコイルばね用係合部である。
【００２６】
上記構成によれば、各ガイドシャフト７Ａ，７Ｂの両端部を支持するための４つの支持部材１４〜１７がシャーシ３に一体形成されているから、該各支持部材１４〜１７を従来のようにアウトサート成形する場合に比べて、その支持部材１４〜１７の数だけ部品点数が少なくなり、製作費を安くすることができる。
【００２７】
前記捩じりコイルばね１８は、図７に示すように、コイル部１８ａと、該コイル部１８ａの両端から所定の対向角度αをおいて互いに逆向き略ハの字状に延びる一対のばね脚部１８ｂと、該各ばね脚部１８ｂの先端からコイル部１８ａの軸心Ｏとはほぼ直交する仮想線Ｓ１に沿って互いに逆向きに略Ｖ字状に折り曲げられてほぼ平行（仮想線Ｓ２，Ｓ３参照）する一対の当たり部１８ｃ，１８ｄと、その一方の当たり部１８ｃの先端からコイル部１８ａの軸心Ｏとはほぼ直交する仮想線Ｓ１に沿って略Ｖ字状に外向きに折り曲げられた略Ｖ字状抜け止め部１８ｅと、その他方の当たり部１８ｄの先端からコイル部１８ａの軸心Ｏとほぼ平行する仮想線Ｓ４に沿って略Ｌ字状に折り曲げられた略Ｌ字状抜け止め部１８ｆとを有しており、コイル部１８ａを各ガイドシャフト７Ａ，７Ｂの端部に外嵌させ、一方の当たり部１８ｃをシャーシ３の係合部２５に係合させて該係合部２５の端縁にほぼ４５°の対向角度βで当接させると共に、他方の当たり部１８ｄを各ばね係合部１４Ｂ〜１７Ｂの横桁部１４ｃ（１５ｃ，１６ｂ，１７ｃ）の凹溝２１に嵌入させて該凹溝２１の端縁にほぼ４５°の対向角度βで当接させることにより、その各ガイドシャフト７Ａ，７Ｂの両端部が４つの高さ調整ねじ１０の先端にそれぞれ押し付けられている。
【００２８】
ここで、図８の比較例に示すように、各捩じりコイルばね１８のコイル部１８ａを各ガイドシャフト７Ａ，７Ｂの端部に外嵌させ、各ばね脚部１８ｂをシャーシ３の係合部２５とばね係合部１４Ｂ〜１７Ｂの凹溝２１とに係合させた場合には、その各ばね脚部１８ｂと係合部２５及び凹溝２１の端縁との間の対抗角度θが小さいので、各ガイドシャフト７Ａ，７Ｂに過大な負荷Ｋａ，Ｋｂがかかって該各ガイドシャフト７Ａ，７Ｂが高さ調整ねじ１０上から位置ずれしそうになったときに、その過大な負荷Ｋａ，Ｋｂに対抗する反力Ｍの垂直分力Ｍａと水平分力Ｍｂとのバランスが悪いので、その各ガイドシャフト７Ａ，７Ｂが高さ調整ねじ１０上から不測に位置ずれするおそれがある。
【００２９】
これに対して、本発明によれば、図７に示すように、各捩じりコイルばね１８のコイル部１８ａを各ガイドシャフト７Ａ，７Ｂの端部に外嵌させ、該コイル部１８ａから延びる一対の当たり部１８ｃ，１８ｄをシャーシ３の係合部２５及び各支持部材１４〜１７の凹溝２１の端縁にほぼ４５°の対向角度βでそれぞれ当接させており、各ガイドシャフト７Ａ，７Ｂに過大な負荷Ｋａ，Ｋｂがかかって該各ガイドシャフト７Ａ，７Ｂが高さ調整ねじ１０上から位置ずれしそうになっても、その過大な負荷Ｋａ，Ｋｂに対抗する充分に大きい反力Ｍが各当たり部１８ｃ，１８ｄに発生し、その各反力Ｍの垂直分力Ｍａと水平分力Ｍｂとのバランスが良いから、各ガイドシャフト７Ａ，７Ｂが高さ調整ねじ１０上から不測に位置ずれないように押さえ付けることができる。
【００３０】
また、各当たり部１８ｃ，１８ｄの先端から延びる略Ｖ字状抜け止め部１８ｅと略Ｌ字状抜け止め部１８ｆとにより該各当たり部１８ｃ，１８ｄが係合部２５や凹溝２１から不測に抜けないようにすることができると共に、両抜け止め部１８ｅ，１８ｆの折り曲げ方向が異なっているから、その折り曲げ方向を目視するだけで捩じりコイルばね１８の向きを簡単に確認することができ、例えば略Ｌ字状抜け止め部１８ｆをつかんでコイル部１８ａを各ガイドシャフト７Ａ，７Ｂの端部に正常に嵌合させ、その逆に、略Ｖ字状抜け止め部１８ｅをつかんでコイル部１８ａを各ガイドシャフト７Ａ，７Ｂの端部に逆向きに間違えて嵌合させるミスを無くし、捩じりコイルばね１８の取付作業を能率良く行うことができる。
【００３１】
図９に示すように、各ばね係合部１４Ｂ〜１７Ｂの横桁部１４ｃ，１５ｃ，１６ｂ，１７ｃの上縁から端縁にかけての角部をカットすることにより傾斜状ガイド縁２６が形成されており、これによって、各捩じりコイルばね１８のの他方の当たり部１８ｄを横桁部１４ｃ，１５ｃ，１６ｂ，１７ｃの上縁から傾斜状ガイド縁２６に沿って下縁まで円滑に移行させて凹溝２１に簡単に嵌入させることができる。
【図面の簡単な説明】
【００３２】
【図１】本発明の実施の一形態であるディスク装置の概略平面図である。
【図２】図１のＡ−Ａ矢視図である。
【図３】図１のＢ−Ｂ矢視図である。
【図４】図１のＣ−Ｃ矢視図である。
【図５】同分解斜視図である。
【図６】同シャーシの展開図である。
【図７】（ａ）は同捩じりコイルばねの側面図、（ｂ）は同平面図である。
【図８】（ａ）は同捩じりコイルばねの比較例を示す側面図、（ｂ）は同平面図である。
【図９】同要部の側面図である。
【図１０】従来例を示す概略平面図である。
【図１１】図１０のＥ−Ｅ矢視図である。
【図１２】図１０のＦ−Ｆ矢視図である。
【図１３】図１０のＧ−Ｇ矢視図である。
【符号の説明】
【００３３】
３                              シャーシ  
３ａ                            中央孔  
３ｂ                            ねじ孔  
４                              ターンテーブル  
５                              スピンドルモータ  
６                              光ピックアップ  
７Ａ，７Ｂ                      ガイドシャフト  
１０                            高さ調整ねじ  
１２                            送りモータ  
１４〜１７                      支持部材  
１４Ａ〜１７Ａ                  ガイドシャフト係合部  
１４Ｂ〜１７Ｂ                  ばね係合部  
１４ａ，１５ａ，１６ａ，１７ｂ  縦桁部  
１４ｃ，１５ｃ，１６ｂ，１７ｃ  横桁部  
１８                            捩じりコイルばね  
１８ａ                          コイル部  
１８ｂ                          ばね脚部  
１８ｃ，１８ｄ                  当たり部  
１８ｅ                          略Ｖ字状抜け止め部  
１８ｆ                          略Ｌ字状抜け止め部  
１９                            駆動機構  
２１                            凹溝  
２２                            係合孔（ガイドシャフト係合部）  
２３                            凹部（ガイドシャフト係合部）  
２５                            捩じりコイルばね用係合部  
２６                            傾斜状ガイド縁  
Ｒ                              ラジアル方向  
Ｔ                              タンジェント方向
【図１】
2005332531.tif 000003
【図２】
2005332531.tif 000004
【図３】
2005332531.tif 000005
【図４】
2005332531.tif 000006
【図５】
2005332531.tif 000007
【図６】
2005332531.tif 000008
【図７】
2005332531.tif 000009
【図８】
2005332531.tif 000010
【図９】
2005332531.tif 000011
【図１０】
2005332531.tif 000012
【図１１】
2005332531.tif 000013
【図１２】
2005332531.tif 000014
【図１３】
2005332531.tif 000015